【手続補正書】
【提出日】平成29年7月20日(2017.7.20)
【手続補正１】
【補正対象書類名】特許請求の範囲
【補正対象項目名】全文
【補正方法】変更
【補正の内容】
【特許請求の範囲】
【請求項１】
凹凸面を有する壁紙に剥離可能に取り付けられるアンカーシートを含み、上記アンカーシートを上記壁紙へと固定するようにした壁紙用物品支持具であって、
上記アンカーシートは、基材と、上記基材の一方の面に形成される粘着剤層とからなり、
上記粘着剤層は、再剥離性を有し、上記アンカーシートを壁紙から取り外す際に壁紙を破壊しない粘着力を有する粘着剤からなり、
上記基材は、上記壁紙の凹凸面に追従し得る繊維材料からなることを特徴とする壁紙用物品支持具。
【請求項２】
上記基材が和紙であることを特徴とする請求項１に記載の壁紙用物品支持具。
【請求項３】
上記粘着剤層の粘着剤がアクリル系粘着剤であることを特徴とする請求項１または２に記載の壁紙用物品支持具。
【請求項４】
上記粘着剤層の層厚が１０〜２０μｍであることを特徴とする請求項１ないし３のいずれか１項に記載の壁紙用物品支持具。
【請求項５】
上記アンカーシートの表面にフック、フィルムミラー、小物入れ、額縁等の物品が取り付けられるベースプレートをさらに含み、上記アンカーシートを介して、上記ベースプレートを上記壁紙へと固定するようにされており、
上記ベースプレートは、その裏面側に上記アンカーシートとの接着手段を備えることを特徴とする請求項１ないし４のいずれか１項に記載の壁紙用物品支持具。
【請求項６】
上記接着手段は、上記基材に対して３Ｎ／２０ｍｍ以上の接着力を有することを特徴とする請求項５に記載の壁紙用物品支持具。
【請求項７】
上記接着手段が、両面粘着テープであることを特徴とする請求項５または６に記載の壁紙用物品支持具。
【請求項８】
上記ベースプレートは、上記物品が取り付けられた際に、撓みなどの変形が生じない材料からなることを特徴とする請求項５ないし７のいずれか１項に記載の壁紙用物品支持具。
【請求項９】
上記ベースプレートは、樹脂シートからなることを特徴とする請求項８に記載の壁紙用物品支持具。
【請求項１０】
上記ベースプレートは木材からなることを特徴とする請求項８に記載の壁紙用物品支持具。
【請求項１１】
上記ベースプレートは金属材料からなることを特徴とする請求項８に記載の壁紙用物品支持具。
【請求項１２】
上記ベースプレートには、図柄や色彩等の印刷が施されていることを特徴とする請求項５ないし１１のいずれか１項に記載の壁紙用物品支持具。
【請求項１３】
凹凸面を有する壁紙に所定の接着手段を介してフック、フィルムミラー、小物入れ、額縁等の物品を取り付けるにあたって、上記壁紙の上記物品の取り付け位置に貼着し、上記物品と上記壁紙との間に介在される物品取付け用のアンカーシートであって、
上記アンカーシートは、基材と、上記基材の一方の面に形成される粘着剤層とを備え、
上記粘着剤層は、再剥離性を有し、上記アンカーシートを壁紙から取り外す際に壁紙を破壊しない粘着力を有する粘着剤からなり、
上記基材は、上記壁紙の凹凸面に追従し得る繊維材料からなることを特徴とする物品取付け用のアンカーシート。
【請求項１４】
上記基材が和紙であることを特徴とする請求項１３に記載のアンカーシート。
【手続補正２】
【補正対象書類名】明細書
【補正対象項目名】００１３
【補正方法】変更
【補正の内容】
【００１３】
上述した課題を達成するため、本第１の発明は、凹凸面を有する壁紙に剥離可能に取り付けられるアンカーシートを含み、上記アンカーシートを上記壁紙へと固定するようにした壁紙用物品支持具であって、
上記アンカーシートは、基材と、上記基材の一方の面に形成される粘着剤層とからなり、
上記粘着剤層は、再剥離性を有し、上記アンカーシートを壁紙から取り外す際に壁紙を破壊しない粘着力を有する粘着剤からなり、
上記基材は、上記壁紙の凹凸面に追従し得る繊維材料からなることを特徴としている。
【手続補正３】
【補正対象書類名】明細書
【補正対象項目名】００１４
【補正方法】変更
【補正の内容】
【００１４】
本第１の発明の好ましい態様として、上記基材を植物繊維を原料とする和紙とするとよい。また、上記粘着剤層の粘着剤をアクリル系粘着剤とし、上記粘着剤層の層厚を１０〜２０μｍとすることが好ましい。
【手続補正４】
【補正対象書類名】明細書
【補正対象項目名】００１５
【補正方法】変更
【補正の内容】
【００１５】
また、上記アンカーシートの表面にフック等の物品が取り付けられるベースプレートをさらに含み、
上記アンカーシートを介して、上記ベースプレートを上記壁紙へと固定するようにされており、上記ベースプレートは、その裏面側に上記アンカーシートとの接着手段を備えることもできる。
【手続補正５】
【補正対象書類名】明細書
【補正対象項目名】００１８
【補正方法】変更
【補正の内容】
【００１８】
本第２の発明は、凹凸面を有する壁紙に所定の接着手段を介してフック、フィルムミラー、小物入れ、額縁等の物品を取り付けるにあたって、上記壁紙の上記物品の取り付け位置に貼着し、上記物品と上記壁紙との間に介在される物品取付け用のアンカーシートであって、
上記アンカーシートは、基材と、上記基材の一方の面に形成される粘着剤層とを備え、
上記粘着剤層は、再剥離性を有し、上記アンカーシートを壁紙から取り外す際に壁紙を破壊しない粘着力を有する粘着剤からなり、
上記基材は、上記壁紙の凹凸面に追従し得る繊維材料からなることを特徴としている。
【手続補正６】
【補正対象書類名】明細書
【補正対象項目名】００２８
【補正方法】変更
【補正の内容】
【００２８】
図１および図２に示すように、本発明の壁紙用物品支持具は、フック等の係止具Ｈが取り付けられるベースプレート１と、壁紙Ｗに再剥離可能に貼着されるアンカーシート２とから構成されている。
【手続補正７】
【補正対象書類名】明細書
【補正対象項目名】００６５
【補正方法】変更
【補正の内容】
【００６５】
［壁紙および基材の表面形状］
次に、表面荒さ測定機（小坂研究所製；ＳＥ３５００）  機器条件；波長  ０．８ｍｍ，先端半径  ２μｍ，トレース長さ  ４．８ｍｍ）によるデータをもとに、壁紙および基材の表面形状を図５に示す。
これによると、壁紙（アサヒペン製；ＳＤ−０６）と同様に、和紙にも凹凸があることがわかる。これに対して、ＰＶＣ，ＯＰＰ，ＰＥＴのような基材には凹凸がない。
このことから、和紙の凹凸は壁紙に比して細かいものであるが、和紙が壁紙に対する保持力が高かった理由として、壁紙の凹凸面への食い込みが考えられる。
また、和紙の表面の凹凸は原料繊維である植物（コウゾ、ミツマタ）などを混抄して製作されるため、原料繊維が長くなることに起因するとも考えられる。これに対して、ＰＶＣ，ＯＰＰ，ＰＥＴのような基材は、延伸されて製造されるため、それらの表面が滑らかな平滑面となっていると考えられる。
【手続補正８】
【補正対象書類名】明細書
【補正対象項目名】００６７
【補正方法】変更
【補正の内容】
【００６７】
その結果を表３に示す
【表３】
2017121437.tif 000001
今回の測定のうち、曲げ剛性は、人間が物体を曲げたときに感じる柔らかさと相関が取れ、この値が大きくなるほど硬く、小さくなるほど柔らかい。また、弾力は、人間が物体を曲げて戻した時に感じる弾力性と相関が取れ、この値が大きくなるほど弾力性が悪く、小さくなるほど弾力性が良い。
この結果によると、和紙を除いたＰＶＣ，ＯＰＰ，ＰＥＴは、厚みが増すほど曲げ剛性が硬くなっている。これに対して、和紙は、ＰＥＴより厚みがあるにもかかわらず、ＰＥＴに近い柔らかさを備えていることが判る。
なお、弾力性に関しては、ＰＶＣの弾力性が非常に悪いことはわかったが、和紙が特に弾力性に優位性を持っているとは考えられず、基材の弾力性は、和紙の壁紙への保持性能とは関係ないことが判った。
【手続補正９】
【補正対象書類名】明細書
【補正対象項目名】００７５
【補正方法】変更
【補正の内容】
【００７５】
［実施例２；ベースプレート１とアンカーシート２との接着力］
剥離処理の異なる和紙を基材とする市販のマスキングシートを用い、ベースプレート１の両面粘着テープ１２と同じ組成からなる両面粘着テープ（日東電工株式会社製；両面粘着テープＮｏ．５７５）のマスキングテープに対する接着力（背面接着力）を比較した。
剥離処理の異なる４種のマスキングテープＡ，Ｂ，Ｃ，Ｄの基材表面を被着体とし、両面粘着テープ（日東電工株式会社製；両面粘着テープＮｏ．５７５）を、１０ｍｍ×２０ｍｍの面積になるように被着体に貼付し、そこに２３℃の条件下で２ｋｇのローラで１往復させ、２０分経過後に引張試験機（ＯＲＩＥＮＴＥＣ社製；ＲＴＣ−１２１０Ａ）で１８０度方向に引張速度３００ｍｍ／ｍｉｎで剥離したときの接着力を測定した。
その結果を表５に示す。
【表５】
2017121437.tif 000002
【手続補正１０】
【補正対象書類名】明細書
【補正対象項目名】００７７
【補正方法】変更
【補正の内容】
【００７７】
本実施例では、アサヒペン製ＳＤ−０６を被着体とし、実施例２と同じマスキングテープを被着体Ｃに貼付し、２３℃の条件下で２ｋｇのローラで１往復させ、４０℃の室温で３０分放置した後、７５０ｇのフックを取付け１ヶ月保持させた。これの試験を５回繰り返したが、表７に示すように、両面粘着テープの接着力が３Ｎ／２０ｍｍ以下のものは、マスキングテープから脱落することがわかった。
【表７】
2017121437.tif 000003
【手続補正１１】
【補正対象書類名】明細書
【補正対象項目名】００７８
【補正方法】変更
【補正の内容】
【００７８】
［ベースプレートとアンカーシートとの保持性能の検討結果］
実施例２及び実施例３から、アンカーシート２のベースプレート１への保持性能は、両面粘着テープ１２の基材表面２１に対する接着力が３Ｎ／２０ｍｍ以上のものが好ましいことがわかった。
【手続補正１２】
【補正対象書類名】明細書
【補正対象項目名】００７９
【補正方法】変更
【補正の内容】
【００７９】
［実施例４；アンカーシートの壁紙への追従確保時間］
上記マスキングテープＤを用い、壁紙（アサヒペン製ＳＤ−０６）の凹凸に馴染む
（追従性確保）時間を検証するため、以下のような試験を行った。
壁紙（アサヒペン製ＳＤ−０６）を被着体とし、上記マスキングテープＤを１５ｍｍ×１５ｍｍの面積になるように被着体に貼付し、そこに２３℃の条件下で２ｋｇのローラで１往復させ、所定時間経過後に引張試験機（ＳＨＩＭＡＤＺＵ社製；ＡＧＳ−Ｘ）で１８０度方向に引張速度５０ｍｍ／ｍｉｎで剥離したときの接着力を測定した。
【手続補正１３】
【補正対象書類名】明細書
【補正対象項目名】００８０
【補正方法】変更
【補正の内容】
【００８０】
その結果を表８に示す。
【表８】
2017121437.tif 000004
【手続補正１４】
【補正対象書類名】図面
【補正対象項目名】図１
【補正方法】変更
【補正の内容】
【図１】
2017121437.tif 000005
【手続補正１５】
【補正対象書類名】図面
【補正対象項目名】図２
【補正方法】変更
【補正の内容】
【図２】
2017121437.tif 000006